【事件の表示】
　平成　６年特許願第２３９６２９号「電子楽器」拒絶査定に対する審判事件［平成　８年　３月２２日出願公開、特開平　８−　７６７５１］について、次のとおり審決する。
【結　論】
　本件審判の請求は、成り立たない。
【理　由】
１．本願発明
　本願は、平成６年９月８日の出願であって、その特許請求の範囲の請求項１，請求項２に係る各発明は、平成１３年４月２６日付けの手続補正書により補正された明細書および図面の記載からみて、それぞれ請求項１，２に記載されるとおりのものと認めることができるところ、請求項１に係る発明は次のとおりのものである。
「複数の楽音情報を記憶している不揮発性の外部記憶手段と、
  楽音情報が書き込まれる揮発性の第１内部記憶手段と、
　前記外部記憶手段の記憶している楽音情報を選択的に読出し、前記第１内部記憶手段に書き込む転送手段と、
　前記第１内部記憶手段に書き込まれた前記楽音情報に基づいて楽音を生成する楽音生成手段と、
　電源投入時の動作を指示する起動データを記憶すると共に、電源がオフされても前記起動データを保持可能とされている第２内部記憶手段とを備え、
　前記転送手段は、電源投入時に前記第２内部記憶手段から読み出される前記起動データに基づいて自動的かつ選択的に前記外部記憶手段から楽音情報を読出し、前記第１内部記憶手段に書き込むことを特徴とする電子楽器。」
　
２．引用例
　これに対して、原査定の拒絶理由に引用された特開平５−１６５４６８号公報（平成５年７月２日公開、以下引用例という）には、名称を「電子楽器の自動演奏装置」とする発明について次のとおりの記載がなされている。
（ａ）「従来、記憶された自動演奏情報に基づいて自動演奏を行う電子楽器の自動演奏装置がある。このような自動演奏装置は、複数曲の自動演奏情報を記憶したフロッピーディスク等を電子楽器に装着し、自動演奏したい曲番を入力し、自動演奏の開始を指示するものであった。しかしながら、自動演奏を行うのに、自動演奏の開始のたびに、曲番入力と自動演奏開始指示とが必要であり、操作手順が多く面倒であった。これは、自動演奏の自動開始に限られず、自動演奏の音楽的効果の設定または自動演奏の各楽音の発音の条件等でも同じであった。（中略）また、自動演奏を行うのに、上述した曲番入力と自動演奏開始指示を行うと、たとえ自動演奏情報を記憶したフロッピーディスクを別のフロッピーディスクに交換しても、同じ曲番が再生される。すなわち、いったん設定した自動演奏内容は固定的でフレキシブルなものではない。従って、別のフロッピーディスクに交換した場合、そのままでは、このフロッピーディスクに記憶された自動演奏情報に合った自動演奏を行うことは出来なかった。」（段落【0002】〜【0004】）
（ｂ）「本発明は、上述した課題を解決するためになされたものであり、記憶された各自動演奏情報に合った自動演奏の音楽的条件を個別かつ自動的に設定できる電子楽器の自動演奏装置を提供することを目的としている。」（段落【0005】）
（ｃ）「図１は電子楽器の全体回路を示している。キーボード１の各キーは、キーボードスキャン回路２によってスキャンされ、（中略）パネルスイッチ群３の各キーは、パネルスキャン回路４によってスキャンされる。（中略）シーケンスＲＡＭ１７に書き込まれる自動演奏データＡＰは、フロッピーディスク１４よりロードされる他、上記キーボード１またはパネルスイッチ群３より入力される。シーケンスＲＡＭ１７から読み出された自動演奏データＡＰは、トーンジェネレータ１９に送られて楽音信号が生成され、サウンドシステム２０を通じて発音される。」（段落【0007】〜【0010】、図１）
（ｄ）「図２はフロッピーディスク１４の記憶内容を示している。このフロッピーディスク１４には、先頭にディレクトリデータＤＲ及び再生条件データＲＣが記憶され、このデータＤＲ、ＲＣの後に複数曲の自動演奏データＡＰが各トラックごとに記憶されている。」（段落【0015】、図２）
（ｅ）「上記再生条件データＲＣは、プロテクトデータＰＲ、自動開始データＡＳ及びチェインプレイデータＣＰ等からなる。（中略）自動開始データＡＳは、フロッピーディスク１４がセットされている状態で、電源スイッチがオンされたとき、または、電源スイッチがオンされた状態で、フロッピーディスク１４がセットされたとき、自動的に自動演奏をスタートさせるか否かを示すデータである。（中略）チェインプレイデータＣＰは、再生曲番データＲＯ、リピートトップバーデータＲＴＢ、リピートエンドバーデータＲＥＢ及び再生回数データＲＮよりなり、これらのデータＲＯ、ＲＴＢ、ＲＥＢ、ＲＮが複数組記憶されている。」（段落【0022】，【0023】）
（ｆ）「図８は、（中略）自動演奏自動開始処理のフローチャートを示す。この処理は、（中略）パワーキー３０のオンに基づく。この処理では、まずＣＰＵ５によって（中略）フロッピーディスク１４の先頭部分の再生条件データＲＣが読み出され、チェインプレイレジスタ７２にロードされる（中略）次いで、上記再生条件データＲＣの自動開始データＡＳが“１”で自動演奏の自動開始が行われるべきものであれば（中略）再生曲番データＲＯに応じた曲番の自動演奏データＡＰがフロッピーディスク１４からシーケンスＲＡＭ１７にロードされる」（段落【0063】〜【0065】、図８）
　
３．対比
［3.1］本願の請求項１に係る発明（以下これを本願発明という）と引用例に記載された発明（以下引用発明という）とを対比すると、次のことが認められる。
（イ）両者はいずれも電子楽器を対象とするもので、引用発明における「フロッピーディスク１４」は、本願発明でいう「複数の楽音情報を記憶している不揮発性の外部記憶手段」といえるものである。
（ロ）引用発明でいう「シーケンスＲＡＭ１７」と本願発明でいう「第１内部記憶手段」とは、いずれも「楽音情報が書き込まれる揮発性の内部記憶手段」である点で変わりがない。
（ハ）引用発明でいう「ＣＰＵ５」は再生曲番データＲＯに応じた曲番の自動演奏データＡＰをフロッピーディスク１４からシーケンスＲＡＭ１７にロードする〔前掲記載（ｆ）参照〕ものであり，「トーンジェネレータ１９」はシーケンスＲＡＭ１７から読み出された自動演奏データＡＰから楽音信号を生成する〔前掲記載（ｃ）参照〕ものであるから、それぞれ本願発明で規定するのと変わりがない「転送手段」、「楽音生成手段」といえるものである。
（ニ）引用発明でいう「再生条件データＲＣ」は、引用例の前掲記載（ｅ），（ｆ）から明らかなように、電源スイッチ（パワーキー３０）がオンされたとき、自動的に自動演奏を開始させるか否かを示すデータであって、自動演奏の自動開始が行われるべきときは、ＣＰＵ５によって、上記データＲＣ中の再生曲番データＲＯに応じた曲番の自動演奏データＡＰがフロッピーディスク１４からシーケンスＲＡＭ１７にロードされるというのであるから、本願発明でいう「電源投入時の動作を指示する起動データ」といえるものである。
（ホ）もっとも、本願発明では、上記揮発性の内部記憶手段（第１内部記憶手段）とは別の「電源がオフされても前記起動データを保持可能とされている第２内部記憶手段」を設け、上記起動データをこの第２内部記憶手段に記憶するようにしているところ、引用発明では、上記のような第２内部記憶手段は設けられておらず、上記再生条件データＲＣは、フロッピーディスク１４（楽音情報を記憶している不揮発性の外部記憶手段）に記憶される〔前掲記載（ｄ）〜（ｆ）〕のであるから、この点では両者に違いがある。
（ヘ）しかしながら、上記違いがあるにしても、本願発明と引用発明とは、いずれも“電源投入時の動作を指示する起動データを記憶する記憶手段を備え、前記転送手段は、電源投入時に前記記憶手段から読み出される前記起動データに基づいて自動的かつ選択的に前記外部手段から楽音情報を読出し、前記内部記憶手段に書き込む”ようにしている点では変わりがない。
［3.2］以上の対比結果によれば、本願発明と引用発明との一致点、相違点は次のとおりであると認めることができる。
【一致点】
　両者はいずれも、
「複数の楽音情報を記憶している不揮発性の外部記憶手段と、楽音情報が書き込まれる揮発性の内部記憶手段と、前記外部記憶手段の記憶している楽音情報を選択的に読出し、前記内部記憶手段に書き込む転送手段と、前記内部記憶手段に書き込まれた前記楽音情報に基づいて楽音を生成する楽音生成手段と、電源投入時の動作を指示する起動データを記憶する記憶手段とを備え、前記転送手段は、電源投入時に前記記憶手段から読み出される前記起動データに基づいて自動的かつ選択的に前記外部記憶手段から楽音情報を読み出し、前記内部記憶手段に書き込むことを特徴とする電子楽器。」であるといえる点。
【相違点】
  上記起動データを記憶する記憶手段が、本願発明では、上記揮発性の内部記憶手段（第１内部記憶手段）とは別の「電源がオフされても前記起動データを保持可能とされている第２内部記憶手段」であるのに対し、引用発明では上記不揮発性の外部記憶手段（フロッピーディスク１４）である点。
　
４．判断
［4.1］そこで以下上記相違点について検討すると、上記起動データを本願発明のように第２内部記憶手段に記憶するにしても、引用発明のように外部記憶手段へ記憶するにしても、これらの記憶は、いずれも電源投入時に使用する起動データが電源オフ時に消失してしまわないよう、該起動データを電源オフ時にも保持可能に記憶するという基本的機能においては変わりがないことが明らかである。引用発明では、引用例の前掲記載（ａ），（ｂ）から明らかなように、楽音情報を記憶している外部記憶手段（フロッピーディスク）毎に上記起動データ（自動演奏情報の再生条件データ）が個別的かつ自動的に設定される（フロッピーディスクの交換に応じて自動的にその記憶楽音情報に合った変更設定がなされる）ようにすることを企図して、上記起動データを特に上記外部記憶手段に楽音情報と共に記憶するようにしているものであるが、上記基本的機能からすると、不揮発性（電源オフ時の記憶データ保持機能）のある記憶手段であれば特に外部記憶手段でなくともよいことは明らかであること、内部記憶手段（通常揮発性のＲＡＭ）を不揮発性記憶手段として（バッテリバックアップして）用いることは、電子楽器において例えば音色設定データ等を記憶する際の周知事項であること（必要があれば特開平６−２７９４２号公報、特開平６−８３３４８号公報、特開平１−１１８１９９号公報等参照）の各点を考慮すると、引用発明の上記外部記憶手段に代え、本願発明でいう「電源がオフされても前記起動データを保持可能とされている第２内部記憶手段」（揮発性の第１内部記憶手段とは別の内部記憶手段）を用いることは当業者が容易に想到し得たことである。
［4.2］請求人は、上記起動データを外部記憶手段（フロッピーディスク）に記憶する引用発明に比し、本願発明では、上記起動データを内部メモリ（ＲＡＭ）に記憶しているので、電源投入時の高速動作が可能で、起動データを高速に読み出し、電源投入後すぐに自動演奏を開始することができ、また外部記憶手段が楽音情報のみを記憶したものであっても、該外部記憶手段から自動的に楽音情報を再生できるという利点があり、したがって本願発明は作用効果上格別のものである旨主張する。
　しかしながら、上記請求人主張の作用効果は、要は、フロッピーディスクに代えＲＡＭを用いることで高速動作が可能となり、また、起動データをＲＡＭに記憶することでフロッピーディスクには起動データが記憶されていなくてもよいという当然の作用効果をいうにすぎないものであるから、格別顕著な作用効果であるとはいえない。
　
５．むすび
　以上のとおりであるから、請求項１に係る本願発明は、引用例に記載された発明及び電子楽器における周知事項に基いて当業者が容易に発明をすることができたものであり、したがって特許法第２９条第２項の規定により特許を受けることができない。それ故、本願は請求項２に係る発明について特に検討するまでもなく拒絶されるべきものである。
　よって、結論のとおり審決する。